(57)【要約】      （修正有）【課題】病院の病室に設置される床頭台において、容易に交換が出来、使い勝手の良い置き換えできる床頭台の引出用トレーを提供する。【解決手段】室内に配設されたベッド間に設置し、木製の板材を組み立てて引き出し２、あるいは開き戸からなる収納部と載置台６が形成される床頭台における引き出しの内部に取り付けることができる、交換的可能な樹脂製容器である床頭台の引出用トレーである。【選択図】図４
0003184529.tif 000002
【実用新案登録請求の範囲】
【請求項１】
木製の板材を組み立てて、引き出し、あるいは開き戸からなる収納部と載置台とで形成されている床頭台にて、引き出しの内部に敷くことができる、交換的使い捨て可能な密着性樹脂製容器になっていることを特徴とする床頭台の引出用トレー。
【請求項２】
前記交換的使い捨て可能な樹脂製トレーは、木製の引出しの底板材に嵌合できる厚さ０．５〜１ｍｍのポリエチレン製、又はポリプロピレン製、又はポリスチレン製、又はポリエステル製から選ばれたものであって、引出の側面に嵌着した高さ１〜５０ｍｍの折り返し二重の側面である長方体形状の容器になっていることを特徴とする請求項１記載の床頭台の引出用トレー。
【請求項３】
引出の底面に嵌着した長方体形状の寸法は、引出の内部側面との隙間を０・２〜１ｍｍであって、横３００〜６００ｍｍ、縦３００〜５００ｍｍで、トレーの側面を部分的に折り返し二重折りになっていることを特徴とする請求項１又は請求項２に記載の床頭台の引出用トレー。
【請求項４】
前記引出の底面にマッチした長方体形状トレーは、前面の内側に取り外しを容易になる切り込み式、又は取り付け式の取手部を設けて、裏面に植物性香料剤、又は植物性抗菌剤から選ばれた薫香料を含む部材を、埋め込み、または貼着できるようになっていることを特徴とする請求項１〜請求項３のいずれに記載の床頭台の引出用トレー。
【考案の詳細な説明】
【技術分野】
【０００１】本考案は、病室の大部屋や介護・養護施設の多床室のベッド間に設置する木製用床頭台に関する。詳しくは入院患者ごとに病室内に配置される木製の床頭台の引出に敷く取り換え用床頭台の引出用トレーに係るものである。
【背景技術】
【０００２】以前より、病室などの大部屋のベッド間に間仕切家具を設置し、患者のプライバシー空間を確保するものが知られている。そして、このような間仕切家具には、収納機能やテーブルが設置されているのが一般的であるが、ベッドの搬入、搬出時に、障害にならない程度に移動可能としたものが知られている。（特許文献１、４参照。）【０００３】従来、入院患者のベット横には床頭台と呼ばれる収納用家具が配置される。この床頭台に示すように、患者の持ち物を入れる収納部とテレビなどを載置する載置台により構成される。この載置台にはボードが立設され、一週間の予定表や投薬表など紙片が貼り付けられる。【０００４】そこで木質系の壁面や漆喰系の壁面などマグネットを吸着できない壁面に対して、マグネットを吸着できるようにした片面に貼着された離型紙付きの両面接着テープとでマグネット用取付け座を構成し、離型紙を剥がして両面接着テープによって木質系の壁面に接着して、マグネットを吸着可能な板片にマグネットを磁着させることで紙片を固定させることができる（特許文献２、３参照）。
今までに床頭台の引出内に敷くトレー容器については全く存在していない。
【先行技術文献】
【特許文献】
【０００５】
【特許文献１】特開２００６−１７４９５５号公報
【特許文献２】特開２００２−２７４０８９号公報
【特許文献３】特開２００７−１５９６１１号公報
【特許文献４】特開２００１−３７５６０号公報
【考案の概要】
【考案が解決しようとする課題】
【０００６】しかしながら近年、患者重視の観点からベット数を少なくしてゆとりのある入院生活ができるように快適な病室に改造する病院が増えてきている。また、高級感やあたたかいイメージを演出するために木製の床頭台を使用するところが多くなってきており、またテープでは壁面に張られた化粧紙が破れたりするなどの問題がある。【０００７】一般に床頭台は、入院時に患者各人で使用するものである。この固定床頭台は患者の交代で清掃するものであって、引出など内部の清掃には多くの時間を要している。とくに引出の底、側面、あるいは隙間については綿密な消毒を行うことが必要になっている。【０００８】壁面に設置された家具とが、常に繋がった状態であるため、大きな移動は出来なかった。そのため、床面のクリーニングがし難くいことばかりでなく、間仕切家具のクリーニングを、病室から離れた専用の場所に移動して行なう場合、多くの手間がかかるといった問題点がある。【０００９】本考案は、このような問題点に鑑み、引出の底、側面、あるいは隙間については綿密な消毒を行うことを具備したものであっても、容易に交換が出来る、使い勝手の良い置き換え引出用トレーを提供することを課題とする。
【課題を解決するための手段】
【００１０】木製の板材を組み立てて、引き出し、あるいは開き戸からなる収納部と載置台とで形成されている床頭台にて、引き出しの内部に敷くことができる、交換的使い捨て可能な密着性樹脂製容器になっている床頭台の引出用トレーである。【００１１】前記交換的使い捨て可能な樹脂製トレーは、木製の引出しの底板材に嵌合できる厚さ０．５〜１ｍｍのポリエチレン製、又はポリプロピレン製、又はポリスチレン製、又はポリエステル製から選ばれたものであって、引出の側面に嵌着した高さ１〜５０ｍｍの折り返し二重の側面である長方体形状の容器になっている。【００１２】引出の底面に嵌着した長方体形状の寸法は、引出の内部側面との隙間を０・５〜１ｍｍであって、横３００〜６００ｍｍ、縦３００〜６００ｍｍで、トレーの側面を部分的に二重折りになっている。【００１３】前記引出の底面にマッチした長方体形状トレーは、前面の内側に取り外しを容易になる切り込み式、又は取り付け式取手部を設けて、裏面に植物性香料剤、又は植物性抗菌剤から選ばれた薫香料を含浸した化粧部材を、埋め込み、または貼着できるようになっている。【００１４】前記引出の底面にマッチした長方体形状トレーは、前面の内側に取り外し容易なような取手様切り込みを設けて、裏面に植物性香料剤、又は殺菌剤から選ばれた化粧部材として、モミの木油、テレビン油、ヒノキ材油、ショウノウ油、ユーカリ油、カヤブテ油、バラなど薫香料を紙、木材、突板、不織布、布、無機板シートなどに含浸させた化粧部材をトレーの底面に、埋め込み、または貼着できるようになっている。引出の内部を消毒、抗菌、香気をもたらせることである。
【考案の効果】
【００１５】病室の大部屋や介護・養護施設の床頭台において引出の清掃と消毒を容易にしたものであった。通常は患者の交代ごとに床頭台の引出の清掃で隙間については綿密な消毒を行うものであっても、トレーを容易に交換が出来て、清掃、消毒にも余り必要としなく、入院患者としても衛生面で安心感を与えた。【００１６】また床頭台での引出など内部の消毒、清掃には多くの時間を要している。とくに引出の底、側面、あるいは隙間については綿密な消毒を行う木製用床頭台によれば、嵌め込み消毒・化粧部材である樹脂製トレーを敷くことによって外観上を損なうことなく、引出の内部を消毒、抗菌、香気をもたらせた。化粧部材付きトレーの設置が容易に行うことができた。
【図面の簡単な説明】
【００１７】
【図１】床頭台の引出用トレーの斜視図である。
【図２】床頭台の引出用トレーの断面図である。
【図３】引出に引出用トレー使用した状態を示す斜視図である。
【図４】床頭台の引出に引出用トレー使用した状態を示す斜視図である。
【図５】床頭台の引出に引出用トレー使用した状態を示す断面図である。
【考案を実施するための形態】
【００１８】以下、考案の実施の形態の図面を参酌しながら説明し、本考案の理解に供する。
図１は、本考案を適用した木製用床頭台引出トレーの一実施例を示す斜視図、図３は、図１における要部の説明図である。図２は、トレー断面図である。
【００１９】以下、実施例を添付図面に基づいて詳述する。図１に示すような床頭台の引出に敷くものであって、床頭台の病室の大部屋や介護・養護施設の多床室のベッドの付近に設置し、患者の所持品、医薬品の保持、テレビなど電気製品を積載するものである。
【実施例１】
【００２０】木製の板材を組み立てて引き出し、あるいは開き戸からなる収納部と載置台が形成される床頭台における引き出しの内部に取り付けることができる、交換的可能な樹脂製容器である床頭台の引出用トレーである。前記交換的可能な樹脂製トレー容器は、木製の引出しの底板材に嵌合できる厚さ０．５ｍｍのポリスチレンであって、高さ３０ｍｍであり、その引出の底面に嵌着した長方体形状の寸法は、引出の内部側面との隙間を１ｍｍ以内であって、横４００ｍｍ、縦５００ｍｍであった。【００２１】前記引出の底面にマッチした長方体形状トレーは、前面の内側に取り外し容易なような取手様切り込みを設けて、トレーの裏面に１ｍｍの杉の突板を貼着した。これを床頭台の引出部に使用して敷いた。そこれによって、床頭台の引出の清掃、消毒をせずに使用できた。使用後は簡単に取り出しができて、燃えるゴミとして廃棄することができた。
【実施例２】
【００２２】長方体形状トレーは、木製の板材を組み立てて、引き出しからなる収納部と載置台が形成される床頭台における引き出しの内部に取り付けることができた。
このものは交換的可能な厚さ０．５のポリエチレン製樹脂製容器である床頭台の引出用トレーであった。前記交換的可能な樹脂製トレー容器は、木製の引出しの底板材に嵌合できる厚さ０．５のポリエチレン製であって、高さ４０ｍｍで、２ｍｍの折りかしを行った。引出の底面にマッチした長方体形状で、その引出の底面に嵌着した長方体形状の寸法は、引出の内部側面との隙間を０．５ｍｍであって、横４００ｍｍ、縦５００ｍｍである。【００２３】前記引出の底面にマッチした長方体形状トレーは、前面の内側に取り外し容易なような取手様切り込みを設けて、裏面にモミ木の抽出液体を含浸させた化粧紙を貼着した。
これを床頭台の引出部に使用して敷いた。そこれによって、床頭台の引出の清掃、消毒をせずに使用できた。簡単に廃棄できた。また廃棄物は燃焼ゴミとして処分できるものであった。
【実施例３】
【００２４】木製の板材を組み立てて引き出し、と開き戸からなる収納部と載置台が形成される大型床頭台における引き出しの内部に取り付けることができる、交換的可能な樹脂製容器である床頭台の引出用トレーであった。前記交換的可能な樹脂製トレー容器は、木製の引出しの底板材に嵌合できる厚さ０．３のポリスチレンであって、高さ５０ｍｍで、１ｍｍの折り返しを設けて、中間位置に収縮できる部分を８カ所設けた。引出の底面にマッチした長方体形状で、その引出の底面に嵌着した長方体形状の寸法は、引出の内部側面との隙間を０．５ｍｍであって、横５００ｍｍ、縦６００ｍｍであった。【００２５】前記引出の底面にマッチした長方体形状トレーは、前面の内側に取り外し容易なような取手様切り込みを設けて、トレーの裏面にユーカリ油の植物性香料剤を付着した１ｍｍの突板を貼着した。
これを床頭台の引出部に使用して敷いた。そこれによって、床頭台の引出の清掃、消毒をせずに使用できた。廃棄物は燃焼ゴミとして処分できるものであった。
【符号の説明】
【００２６】１．床頭台
２．引出
３．スライドテーブル
４．側面
５．引出用トレー
６．載置台
７．引出取手
８  トレー取手部
９  薫香料を含浸した部材を埋め込み部
１０  キャスター
１１  折り返し
１２  収縮部
【図１】
0003184529.tif 000003
【図２】
0003184529.tif 000004
【図３】
0003184529.tif 000005
【図４】
0003184529.tif 000006
【図５】
0003184529.tif 000007